(57)【要約】【課題】容量調整可能で冷蔵・冷凍系統専用の第１圧縮機（２Ａ）と、冷蔵・冷凍系統と空調系統とで切り換えられる第２圧縮機（２Ｂ）と、空調系統専用の第３圧縮機（２Ｃ）とを備えた冷凍装置において、高外気温時でも運転動作を安定させる。【解決手段】真夏などの高外気温時には、運転中に第１圧縮機（２Ａ）の容量を低下させずに維持する制御を行う。【選択図】  図１
2004347262.tif 000002
【特許請求の範囲】
【請求項１】
圧縮機構（２Ｄ，２Ｅ）と、室外熱交換器（４）と、膨張機構（２６，４２，４６，５２）と、冷蔵・冷凍系統の利用側熱交換器（４５，５１）と、空調系統の利用側熱交換器（４１）とを有する冷媒回路（１Ｅ）を備え、
圧縮機構（２Ｄ，２Ｅ）が、容量調整可能で冷蔵・冷凍系統専用の第１圧縮機手段（２Ａ）と、冷蔵・冷凍系統と空調系統とに切り換えられる第２圧縮機手段（２Ｂ）と、空調系統専用の第３圧縮機手段（２Ｃ）とからなる冷凍装置であって、
外気温度が所定温度以上の状態では、運転中に第１圧縮機手段（２Ａ）の容量を低下させずに維持する制御を行うことを特徴とする冷凍装置。
【請求項２】
請求項１に記載の冷凍装置において、
外気温度が所定温度以上で第１圧縮機手段（２Ａ）のみを冷蔵・冷凍系統に用いている運転状態から、第２圧縮機手段（２Ｂ）を冷蔵・冷凍系統に切り換えるときに、第１圧縮機手段（２Ａ）の容量を低下させずに維持する制御を行うことを特徴とする冷凍装置。
【請求項３】
請求項２に記載の冷凍装置において、
外気温度が所定温度以上で第１圧縮機手段（２Ａ）のみを冷蔵・冷凍系統に用いている運転状態で、冷蔵・冷凍系統における冷却能力の不足量を基準値と比較し、該冷却能力の不足量に応じて第２圧縮機手段（２Ｂ）の切換制御を行うことを特徴とする冷凍装置。
【請求項４】
請求項３に記載の冷凍装置において、
冷蔵・冷凍系統における冷却能力の不足量が基準値よりも大きいと、第２圧縮機手段（２Ｂ）をすぐに冷蔵・冷凍側に切り換えることを特徴とする冷凍装置。
【請求項５】
請求項３に記載の冷凍装置において、
冷蔵・冷凍系統における冷却能力の不足量が基準値よりも小さいと、第２圧縮機手段（２Ｂ）を冷蔵・冷凍側に切り換える際に所定の待機時間を設定することを特徴とする冷凍装置。
【請求項６】
請求項２から５のいずれか１に記載の冷凍装置において、
外気温度が所定温度以上で第１圧縮機手段（２Ａ）のみを冷蔵・冷凍系統に用いている運転状態から、第２圧縮機手段（２Ｂ）を冷蔵・冷凍系統に切り換える制御を行った後、サーモオン／サーモオフの切り換えを所定時間禁止することを特徴とする冷凍装置。
【請求項７】
請求項２から６のいずれか１に記載の冷凍装置において、
外気温度が所定温度以上で第１圧縮機手段（２Ａ）のみを冷蔵・冷凍系統に用いている運転状態で、該第１圧縮機手段（２Ａ）の容量を増やせないときに、第２圧縮機手段（２Ｂ）を冷蔵・冷凍系統に切り換える制御を行うことを特徴とする冷凍装置。
【請求項８】
請求項１に記載の冷凍装置において、
外気温度が所定温度以上で第１圧縮機手段（２Ａ）と第２圧縮機手段（２Ｂ）を冷蔵・冷凍系統に用いている運転状態では、冷蔵・冷凍系統の冷却負荷が所定値より小さくても第１圧縮機手段（２Ａ）の容量の低下を禁止することを特徴とする冷凍装置。
【請求項９】
請求項１に記載の冷凍装置において、
外気温度が所定温度以上で第１圧縮機手段（２Ａ）と第２圧縮機手段（２Ｂ）を冷蔵・冷凍系統に用いている運転状態では、冷蔵・冷凍系統の冷却負荷が所定値より小さくかつ室内の冷房負荷が所定値よりも大きいと、第１圧縮機手段（２Ａ）の容量を維持しながら第２圧縮機手段（２Ｂ）を空調系統に切り換える制御を行うことを特徴とする冷凍装置。
【発明の詳細な説明】
【０００１】
【発明の属する技術分野】
本発明は、冷凍装置に関し、特に、空調用の利用側熱交換器と冷蔵・冷凍用の利用側熱交換器とを備えた冷媒回路の圧縮機構として、３台の圧縮機（圧縮機手段）を組み合わせたものを用いた冷凍装置に関する。
【０００２】
【従来の技術】
従来より、冷凍サイクルを行う冷凍装置が知られており、食品等を貯蔵する冷蔵庫、冷凍庫またはショーケース等の冷却機や、室内を冷暖房する空調機として広く利用されている。この冷凍装置には、冷蔵・冷凍と空調の両方を行うものがある（例えば、特許文献１参照）。この種の冷凍装置は、冷蔵・冷凍用と空調用の２系統の利用側熱交換器を備え、コンビニエンスストア等に設置されている。
【０００３】
上記特許文献１の冷凍装置では、各利用側熱交換器の動作状況に応じて圧縮機容量を幅広く変化させるために、３台の圧縮機を組み合わせて圧縮機構を構成している。そして、この冷凍装置においては、圧縮機を３台とも冷蔵・冷凍側か空調側に用いることや、２台と１台、あるいは１台ずつを冷蔵・冷凍側と空調側に分けて用いることが可能であり、それによって、３台の圧縮機を様々なパターンで組み合わせた運転をすることができるようになっている。
【０００４】
ところで、本願出願人は、この種の冷凍装置において、圧縮機構を、冷蔵・冷凍系統に専用で用いる可変容量の第１圧縮機と、冷蔵・冷凍系統と空調系統とで切り換えて用いる第２圧縮機と、空調系統に専用で用いる第３圧縮機とから構成したものを提案している（例えば特願２００２−０１５９５８号参照）。このように構成すると、冷蔵・冷凍側と空調側に切り換える圧縮機が一台（第２圧縮機）だけで済むために、回路構成や切り換え制御が比較的簡単になる。
【０００５】
【特許文献１】
特開２００２−３５７３７４号公報
【０００６】
【発明が解決しようとする課題】
上記冷凍装置においては、例えば冷蔵・冷凍側に用いる圧縮機構の容量を増やすときには、第２圧縮機が停止した状態で第１圧縮機の容量を最大に達するまで増大させた後、第１圧縮機を一旦停止または最低容量にするのと同時に第２圧縮機を起動し、再度第１圧縮機の容量を増やすようにしている。つまり、容量がリニアに変化するような制御を行っており、これは、容量を減らすときも同様である。
【０００７】
しかし、真夏などの高外気温時に冷蔵・冷凍側で第１圧縮機だけを大容量で運転していて、それでも能力が不足するような場合には、上記のリニアな制御では問題が生じる。具体的には、高外気温時に第２圧縮機を空調側から冷蔵・冷凍側に切り換える運転制御を行う際には、第１圧縮機を一旦停止または最低容量にしてからしばらくの間は能力が不足気味になってしまうことがある。
【０００８】
このように、従来の装置では外気温が高いときに安定した制御を行うことは困難であり、能力不足が生じやすい問題があった。本発明は、このような問題点に鑑みて創案されたものであり、その目的は、容量調整可能で冷蔵・冷凍系統専用の第１圧縮機と、冷蔵・冷凍系統と空調系統とで切り換えられる第２圧縮機と、空調系統専用の第３圧縮機とを備えた冷凍装置において、高外気温時でも運転動作を安定させることである。
【０００９】
【課題を解決するための手段】
本発明は、真夏などの高外気温時には、運転中に第１圧縮機手段（２Ａ）の容量を低下させずに維持する制御を行うようにしたものである。
【００１０】
具体的に、請求項１に記載の発明は、圧縮機構（２Ｄ，２Ｅ）と、室外熱交換器（４）と、膨張機構（２６，４２，４６，５２）と、冷蔵・冷凍系統の利用側熱交換器（４５，５１）と、空調系統の利用側熱交換器（４１）とを有する冷媒回路（１Ｅ）を備え、圧縮機構（２Ｄ，２Ｅ）が、容量調整可能で冷蔵・冷凍系統専用の第１圧縮機手段（２Ａ）と、冷蔵・冷凍系統と空調系統とに切り換えられる第２圧縮機手段（２Ｂ）と、空調系統専用の第３圧縮機手段（２Ｃ）とからなる冷凍装置を前提としている。
【００１１】
そして、この冷凍装置は、外気温度が所定温度以上の状態では、運転中に第１圧縮機手段（２Ａ）の容量を低下させずに維持する制御を行うことを特徴としている。なお、この制御は、冷凍装置に設けられるコントローラ（制御手段）が行う。また、上記構成において、各々の「圧縮機手段」は、１台の圧縮機であってもよいし、２台以上の圧縮機を組み合わせたものであってもよい。
【００１２】
請求項２に記載の発明は、請求項１に記載の冷凍装置において、外気温度が所定温度以上で第１圧縮機手段（２Ａ）のみを冷蔵・冷凍系統に用いている運転状態から、第２圧縮機手段（２Ｂ）を冷蔵・冷凍系統に切り換えるときに、第１圧縮機手段（２Ａ）の容量を低下させずに維持する制御を行うことを特徴としている。この場合、第１圧縮機手段（２Ａ）の容量は、最大容量にすることが好ましい。
【００１３】
これら請求項１，２の発明では、外気温度が所定温度以上となる真夏などの高外気温時に冷蔵・冷凍側で第１圧縮機手段（２Ａ）だけを例えば最大容量で運転していて、それでも能力が不足する場合には、第１圧縮機手段（２Ａ）を最大容量に維持したままで、第２圧縮機手段（２Ｂ）を冷蔵・冷凍系統に切り換えることができる。具体的には、空調系統に用いている第２圧縮機手段（２Ｂ）を冷蔵・冷凍系統に切り換えたり、停止している第２圧縮機手段（２Ｂ）を冷蔵・冷凍系統に用いたりするときに、該冷蔵・冷凍系統の能力が不足する状態は生じない。
【００１４】
一方、外気温度が所定温度よりも低いときに冷蔵・冷凍側で第１圧縮機手段（２Ａ）だけを最大容量で運転していて能力が不足するときは、第１圧縮機を最大容量にしていると、切り換え時の能力が高くなりすぎてしまう。その結果、冷媒回路の低圧圧力が低下して圧縮機の保護スイッチが働き、結局は第２圧縮機を止めなければならなくなることが考えられる。そして、このような動きが繰り返されると、第２圧縮機の発停が多くなってしまう。
【００１５】
しかし、このようなときは、第１圧縮機手段（２Ａ）の容量を一旦低下させてから第２圧縮機手段（２Ｂ）を冷蔵・冷凍系統に切り換えた後、第１圧縮機手段（２Ａ）の容量を増やすとよい。つまり、圧縮機構（２Ｄ，２Ｅ）の容量をリニアに変化させる制御を行うとよい。こうすると、冷媒回路（１Ｅ）の低圧圧力が急激に低下することはなく、第２圧縮機手段（２Ｂ）の発停も生じない。
【００１６】
請求項３に記載の発明は、請求項２に記載の冷凍装置において、外気温度が所定温度以上で第１圧縮機手段（２Ａ）のみを冷蔵・冷凍系統に用いている運転状態で、冷蔵・冷凍系統における冷却能力の不足量を基準値と比較し、該冷却能力の不足量に応じて第２圧縮機手段（２Ｂ）の切換制御を行うことを特徴としている。
【００１７】
また、請求項４に記載の発明は、請求項３に記載の冷凍装置において、冷蔵・冷凍系統における冷却能力の不足量が基準値よりも大きいと、第２圧縮機手段（２Ｂ）をすぐに冷蔵・冷凍側に切り換えることを特徴としている。
【００１８】
また、請求項５に記載の発明は、請求項３に記載の冷凍装置において、冷蔵・冷凍系統における冷却能力の不足量が基準値よりも小さいと、第２圧縮機手段（２Ｂ）を冷蔵・冷凍側に切り換える際に所定の待機時間を設定することを特徴としている。
【００１９】
請求項３から５の発明においては、第１圧縮機手段（２Ａ）のみを冷蔵・冷凍系統に用いている運転状態で、該冷蔵・冷凍系統における冷却能力の不足量を基準値と比較し、該冷却能力の不足量に応じて第２圧縮機手段（２Ｂ）の切換制御を行うようにしているので、冷却能力の不足量が大きいときでも小さいときでも第２圧縮機手段（２Ｂ）の適切な切換制御を行うことが可能になる。
【００２０】
特に、請求項４の発明では、冷蔵・冷凍系統における冷却能力の不足量が基準値よりも大きいときに、第２圧縮機手段（２Ｂ）を冷蔵・冷凍側にすぐに切り換えるようにしており、その際にも第１圧縮機手段（２Ａ）の容量が維持されるので、圧縮機構（２Ｄ，２Ｅ）の能力が不足するのを確実に防止できる。
【００２１】
また、請求項５の発明では、冷蔵・冷凍系統における冷却能力の不足量が基準値よりも小さいときには、第２圧縮機手段（２Ｂ）を冷蔵・冷凍側に切り換える際に所定の待機時間を設定するようにしている。つまり、このときは能力の不足量が少ないため、しばらくは冷蔵・冷凍系統を大容量の第１圧縮機手段（２Ａ）だけで運転する状態を継続することにしている。こうすると、第１圧縮機手段（２Ａ）の容量を維持したまま第２圧縮機手段（２Ｂ）を起動する場合に考えられる発停過多を確実に防止できる。
【００２２】
請求項６に記載の発明は、請求項２から５のいずれか１に記載の冷凍装置において、外気温度が所定温度以上で第１圧縮機手段（２Ａ）のみを冷蔵・冷凍系統に用いている運転状態から、第２圧縮機手段（２Ｂ）を冷蔵・冷凍系統に切り換える制御を行った後、サーモオン／サーモオフの切り換えを所定時間禁止することを特徴としている。
【００２３】
この請求項６の発明では、外気温度が所定温度以上で第１圧縮機手段（２Ａ）のみを冷蔵・冷凍系統に用いている運転状態から、第２圧縮機手段（２Ｂ）を冷蔵・冷凍系統に切り換える制御を行った後は、圧縮機構（２Ｄ，２Ｅ）の能力が増大して冷媒回路（１Ｅ）の低圧圧力が低下するのに対して、そのときに誤ってサーモオン（冷却運転）からサーモオフ（休止運転）になるのを防止できる。つまり、冷媒回路の低圧圧力に基づく制御では上記低圧圧力が下がると冷蔵・冷凍系統が冷えていると判断してサーモオフになりやすいのに対して、そのような誤動作が生じない。
【００２４】
請求項７に記載の発明は、請求項２から６のいずれか１に記載の冷凍装置において、外気温度が所定温度以上で第１圧縮機手段（２Ａ）のみを冷蔵・冷凍系統に用いている運転状態で、該第１圧縮機手段（２Ａ）の容量を増やせないときに、第２圧縮機手段（２Ｂ）を冷蔵・冷凍系統に切り換える制御を行うことを特徴としている。
【００２５】
この場合、第１圧縮機手段（２Ａ）が実際の最大容量かどうかに拘わらず、第１圧縮機手段（２Ａ）の容量をそれ以上に増やせないときに第２圧縮機手段（２Ｂ）を冷蔵・冷凍系統に切り換える制御を行う。具体的には、第１圧縮機手段（２Ａ）がインバータ圧縮機である場合に最大周波数で運転されているときのほか、インバータの電流値が所定値よりも高くなっていたり、インバータのフィン温度が所定温度よりも高温になっていて、それ以上容量を増やすとインバータ自体が停止してしまうときなどである。このようなときに第２圧縮機手段（２Ｂ）を冷蔵・冷凍側に切り換えることで、動作が不安定になるのを防止できる。
【００２６】
請求項８に記載の発明は、請求項１に記載の冷凍装置において、外気温度が所定温度以上で第１圧縮機手段（２Ａ）と第２圧縮機手段（２Ｂ）を冷蔵・冷凍系統に用いている運転状態では、冷蔵・冷凍系統の冷却負荷が所定値より小さくても第１圧縮機手段（２Ａ）の容量の低下を禁止することを特徴としている。
【００２７】
この請求項８の発明では、外気温度が所定温度以上で第１圧縮機手段（２Ａ）と第２圧縮機手段（２Ｂ）を冷蔵・冷凍系統に用いている運転状態で、冷蔵・冷凍系統の冷却負荷が所定値より小さくても、第１圧縮機手段（２Ａ）の容量は低下せずに維持される。こうすると、室内の冷房負荷に拘わらず、冷蔵・冷凍の庫内における食品などを優先的に品質維持できるうえ、冷蔵・冷凍側がショーケースである場合には庫内の冷気が室内に流れることで、室内の能力低下も抑えられる。
【００２８】
請求項９に記載の発明は、請求項１に記載の冷凍装置において、外気温度が所定温度以上で第１圧縮機手段（２Ａ）と第２圧縮機手段（２Ｂ）を冷蔵・冷凍系統に用いている運転状態では、冷蔵・冷凍系統の冷却負荷が所定値より小さくかつ室内の冷房負荷が所定値よりも大きいと、第１圧縮機手段（２Ａ）の容量を維持しながら第２圧縮機手段（２Ｂ）を空調系統に切り換える制御を行うことを特徴としている。
【００２９】
この請求項９の発明では、外気温度が所定温度以上で第１圧縮機手段（２Ａ）と第２圧縮機手段（２Ｂ）を冷蔵・冷凍系統に用いている運転状態で、冷蔵・冷凍系統の冷却負荷が所定値より小さくかつ室内の冷房負荷が所定値よりも大きいときは、第２圧縮機手段（２Ｂ）が空調系統に切り換えられる。このときでも、冷蔵・冷凍系統において第１圧縮機手段（２Ａ）の能力は維持されている。こうすると、冷却負荷が所定値よりも小さい冷蔵・冷凍系統を第１圧縮機手段（２Ａ）で冷却しながら、冷房負荷の大きな室内を第２圧縮機手段（２Ｂ）と第３圧縮機手段（２Ｃ）で冷却することができる。また、冷蔵・冷凍側がショーケースである場合は、ショーケースの周囲の室内空気を冷やすことで、ショーケースも効率よく冷却できる。
【００３０】
【発明の実施の形態】
以下、本発明の実施形態を図面に基づいて詳細に説明する。
【００３１】
図１に示すように、本実施形態に係る冷凍装置（１）は、コンビニエンスストアに設けられ、ショーケースの冷却と店内の冷暖房とを行うためのものである。
【００３２】
上記冷凍装置（１）は、室外ユニット（１Ａ）と室内ユニット（１Ｂ）と冷蔵ユニット（１Ｃ）と冷凍ユニット（１Ｄ）とを有し、蒸気圧縮式冷凍サイクルを行う冷媒回路（１Ｅ）を備えている。この冷媒回路（１Ｅ）は、冷蔵・冷凍用の第１系統側回路と、空調用の第２系統側回路とを備えている。上記冷媒回路（１Ｅ）は、冷房サイクルと暖房サイクルとに切り換わるように構成されている。
【００３３】
上記室内ユニット（１Ｂ）は、冷房運転と暖房運転とを切り換えて行うように構成され、例えば、売場などに設置される。また、上記冷蔵ユニット（１Ｃ）は、冷蔵用のショーケースに設置されて該ショーケースの庫内空気を冷却する。上記冷凍ユニット（１Ｄ）は、冷凍用のショーケースに設置されて該ショーケースの庫内空気を冷却する。
【００３４】
〈室外ユニット〉
上記室外ユニット（１Ａ）は、第１圧縮機手段としてのインバータ圧縮機（２Ａ）と、第２圧縮機手段としての第１ノンインバータ圧縮機（２Ｂ）と、第３圧縮機手段としての第２ノンインバータ圧縮機（２Ｃ）とを備えると共に、第１四路切換弁（３Ａ）、第２四路切換弁（３Ｂ）、及び第３四路切換弁（３Ｃ）と、熱源側熱交換器である室外熱交換器（４）とを備えている。
【００３５】
上記各圧縮機（２Ａ，２Ｂ，２Ｃ）は、例えば、密閉型の高圧ドーム型スクロール圧縮機で構成されている。上記インバータ圧縮機（２Ａ）は、電動機がインバータ制御されて容量が段階的又は連続的に可変となる可変容量圧縮機である。上記第１ノンインバータ圧縮機（２Ｂ）及び第２ノンインバータ圧縮機（２Ｃ）は、電動機が常に一定回転数で駆動する定容量圧縮機である。
【００３６】
上記インバータ圧縮機（２Ａ）と第１ノンインバータ圧縮機（２Ｂ）と第２ノンインバータ圧縮機（２Ｃ）は、この冷凍装置（１）の圧縮機構（２Ｄ，２Ｅ）を構成し、該圧縮機構（２Ｄ，２Ｅ）は、第１系統の圧縮機構（２Ｄ）と第２系統の圧縮機構（２Ｅ）とから構成されている。具体的に、圧縮機構（２Ｄ，２Ｅ）は、運転時に、上記インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する場合と、上記インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する場合とがある。つまり、インバータ圧縮機（２Ａ）が冷蔵・冷凍用の第１系統側回路に、第２ノンインバータ圧縮機（２Ｃ）が空調用の第２系統側回路に固定的に用いられる一方、第１ノンインバータ圧縮機（２Ｂ）は第１系統側回路と第２系統側回路に切り換えて用いることができるようになっている。
【００３７】
上記インバータ圧縮機（２Ａ）、第１ノンインバータ圧縮機（２Ｂ）及び第２ノンインバータ圧縮機（２Ｃ）の各吐出管（５ａ，５ｂ，５ｃ）は、１つの高圧ガス管（吐出配管）（８）に接続され、該高圧ガス管（８）が第１四路切換弁（３Ａ）の１つのポートに接続されている。上記第１ノンインバータ圧縮機（２Ｂ）の吐出管（５ｂ）及び第２ノンインバータ圧縮機（２Ｃ）の吐出管（５ｃ）には、それぞれ逆止弁（７）が設けられている。
【００３８】
上記室外熱交換器（４）のガス側端部は、室外ガス管（９）によって第１四路切換弁（３Ａ）の１つのポートに接続されている。上記室外熱交換器（４）の液側端部には、液ラインである液管（１０）の一端が接続されている。該液管（１０）の途中には、レシーバ（１４）が設けられ、液管（１０）の他端は、第１連絡液管（１１）と第２連絡液管（１２）とに分岐されている。
【００３９】
尚、上記室外熱交換器（４）は、例えば、クロスフィン式のフィン・アンド・チューブ型熱交換器であって、熱源ファンである室外ファン（４Ｆ）が近接して配置されている。
【００４０】
上記第１四路切換弁（３Ａ）の１つのポートには、連絡ガス管（１７）が接続されている。上記第１四路切換弁（３Ａ）の１つのポートは、接続管（１８）によって第２四路切換弁（３Ｂ）の１つのポートに接続されている。該第２四路切換弁（３Ｂ）の１つのポートは、補助ガス管（１９）によって第２ノンインバータ圧縮機（２Ｃ）の吐出管（５ｃ）に接続されている。また、第２四路切換弁（３Ｂ）の１つのポートは、第２ノンインバータ圧縮機（２Ｃ）の吸入管（６ｃ）が接続されている。尚、上記第２四路切換弁（３Ｂ）の１つのポートは、閉塞された閉鎖ポートに構成されている。つまり、上記第２四路切換弁（３Ｂ）は、三路切換弁であってもよい。
【００４１】
上記第１四路切換弁（３Ａ）は、高圧ガス管（８）と室外ガス管（９）とが連通し且つ接続管（１８）と連絡ガス管（１７）とが連通する第１状態（図１実線参照）と、高圧ガス管（８）と連絡ガス管（１７）とが連通し、且つ接続管（１８）と室外ガス管（９）とが連通する第２状態（図１破線参照）とに切り換わるように構成されている。
【００４２】
また、上記第２四路切換弁（３Ｂ）は、補助ガス管（１９）と閉鎖ポートとが連通し、且つ接続管（１８）と第２ノンインバータ圧縮機（２Ｃ）の吸入管（６ｃ）とが連通する第１状態（図１実線参照）と、補助ガス管（１９）と接続管（１８）とが連通し、且つ吸入管（６ｃ）と閉塞ポートとが連通する第２状態（図１破線参照）とに切り換わるように構成されている。
【００４３】
上記インバータ圧縮機（２Ａ）の吸入管（６ａ）は、第１系統側回路の低圧ガス管（１５）に接続されている。第２ノンインバータ圧縮機（２Ｃ）の吸入管（６ｃ）は、第１，第２四路切換弁（３Ａ，３Ｂ）を介して第２系統側回路の低圧ガス管（連絡ガス管（１７）または室外ガス管（９））に接続されている。また、第１ノンインバータ圧縮機（２Ｂ）の吸入管（６ｂ）は、後述の第３四路切換弁（３Ｃ）を介してインバータ圧縮機（２Ａ）の吸入管（６ａ）及び第２ノンインバータ圧縮機（２Ｃ）の吸入管（６ｃ）に接続されている。
【００４４】
具体的には、インバータ圧縮機（２Ａ）の吸入管（６ａ）には分岐管（６ｄ）が接続され、第２ノンインバータ圧縮機（２Ｃ）の吸入管（６ｃ）には分岐管（６ｅ）が接続されている。そして、インバータ圧縮機（２Ａ）の吸入管（６ａ）の分岐管（６ｄ）が逆止弁（７）を介して第３四路切換弁（３Ｃ）の第１ポート（Ｐ１）に接続され、第１ノンインバータ圧縮機（２Ｂ）の吸入管（６ｂ）が第３四路切換弁（３Ｃ）の第２ポート（Ｐ２）に接続され、第２ノンインバータ圧縮機（２Ｃ）の吸入管（６ｃ）の分岐管（６ｅ）が逆止弁（７）を介して第３四路切換弁（３Ｃ）の第３ポート（Ｐ３）に接続されている。また、第３四路切換弁（３Ｃ）の第４ポート（Ｐ４）には、後述する液封防止管（２８）の分岐管（２８ａ）が接続されている。上記分岐管（６ｄ，６ｅ）に設けられている逆止弁は、第３四路切換弁（３Ｃ）へ向かう冷媒流れのみを許容するものである。
【００４５】
上記第３四路切換弁（３Ｃ）は、第１ポート（Ｐ１）と第２ポート（Ｐ２）が連通し、第３ポート（Ｐ３）と第４ポート（Ｐ４）が連通する第１の状態（図の実線参照）と、第１ポート（Ｐ１）と第４ポート（Ｐ４）が連通し、第２ポート（Ｐ２）と第３ポート（Ｐ３）が連通する第２の状態（図の破線参照）とに切り換え可能に構成されている。
【００４６】
上記各吐出管（５ａ，５ｂ，５ｃ）と高圧ガス管（８）と室外ガス管（９）とが冷房運転時の高圧ガスライン（１Ｌ）を構成している。また、上記各吐出管（５ａ，５ｂ，５ｃ）と高圧ガス管（８）と連絡ガス管（１７）とが暖房運転時の高圧ガスライン（１Ｎ）を構成している。一方、上記低圧ガス管（１５）と第１系統の圧縮機構（２Ｄ）の各吸入管（６ａ，６ｂ）が第１の低圧ガスライン（１Ｍ）を構成している。また、上記連絡ガス管（１７）と第２系統の圧縮機構（２Ｅ）の吸入管（６ｃ）が冷房運転時の低圧ガスライン（１Ｎ）を構成し、室外ガス管（９）と該吸入管（６ｃ）が暖房運転時の低圧ガスライン（１Ｌ）を構成している。
【００４７】
上記第１連絡液管（１１）と第２連絡液管（１２）と連絡ガス管（１７）と低圧ガス管（１５）とは、室外ユニット（１Ａ）から外部に延長され、室外ユニット（１Ａ）内にはこれらに対応して閉鎖弁（２０）が設けられている。さらに、上記第２連絡液管（１２）は、液管（１０）からの分岐側端部に逆止弁（７）が設けられ、レシーバ（１４）から閉鎖弁（２０）に向かって冷媒が流れるように構成されている。
【００４８】
上記液管（１０）には、レシーバ（１４）をバイパスする補助液管（２５）が接続されている。該補助液管（２５）は、主として暖房時に冷媒が流れ、膨張機構である室外膨張弁（２６）が設けられている。上記液管（１０）における室外熱交換器（４）とレシーバ（１４）との間には、レシーバ（１４）に向かう冷媒流れのみを許容する逆止弁（７）が設けられている。該逆止弁（７）は、液管（１０）における補助液管（２５）の接続部とレシーバ（１４）との間に位置している。
【００４９】
上記液管（１０）は、この逆止弁（７）とレシーバ（１４）との間で分岐して（分岐液管（３６）という）、該分岐液管（３６）が、上記第２液管（１２）における閉鎖弁（２０）と逆止弁（７）との間に接続されている。該分岐液管（３６）には、第２液管（１２）からレシーバ（１４）へ向かう冷媒流れのみを許容する逆止弁（７）が設けられている。
【００５０】
上記補助液管（２５）と低圧ガス管（１５）との間には、リキッドインジェクション管（２７）が接続されている。該リキッドインジェクション管（２７）には、電子膨張弁（２９）が設けられている。また、このリキッドインジェクション管（２７）における補助液管（２５）との接続点と電子膨張弁（２９）の間と、高圧ガス管（８）とに、液封防止管（２８）が接続されている。この液封防止管（２８）には、リキッドインジェクション管（２７）から高圧ガス管（８）へ向かう冷媒流れのみを許容する逆止弁（７）が設けられている。また、上述したように、この液封防止管（２８）の分岐管（２８ａ）は上記第３四路切換弁（３Ｃ）の第４ポート（Ｐ４）に接続されている。
【００５１】
上記高圧ガス管（８）には、オイルセパレータ（３０）が設けられている。該オイルセパレータ（３０）には、油戻し管（３１）の一端が接続されている。該油戻し管（３１）は、他端が第１油戻し管（３１ａ）と第２油戻し管（３１ｂ）に分岐している。第１油戻し管（３１ａ）は、電磁弁（ＳＶ０）が設けられ、リキッドインジェクション管（２７）を介してインバータ圧縮機（２Ａ）の吸入管（６ａ）に接続されている。また、第２油戻し管（３１ｂ）は、電磁弁（ＳＶ４）が設けられ、第２ノンインバータ圧縮機（２Ｃ）の吸入管（６ｃ）に接続されている。
【００５２】
上記インバータ圧縮機（２Ａ）のドーム（油溜まり）と第１ノンインバータ圧縮機（２Ｂ）の吸入管（６ｂ）との間には、第１均油管（３２）が接続されている。上記第１ノンインバータ圧縮機（２Ｂ）のドームと第２ノンインバータ圧縮機（２Ｃ）の吸入管（６ｃ）との間には、第２均油管（３３）が接続されている。上記第２ノンインバータ圧縮機（２Ｃ）のドームとインバータ圧縮機（２Ａ）の吸入管（６ａ）との間には、第３均油管（３４）が接続されている。第１均油管（３２）、第２均油管（３３）、及び第３均油管（３４）には、それぞれ、開閉機構として電磁弁（ＳＶ１，ＳＶ２，ＳＶ３）が設けられている。また、第２均油管（３３）は、第１ノンインバータ圧縮機（２Ｂ）のドームと電磁弁（ＳＶ２）との間で第４均油管（３５）に分岐している。第４均油管（３５）は、電磁弁（ＳＶ５）が設けられ、第１圧縮機（２Ａ）の吸入管（６ａ）に合流している。
【００５３】
〈室内ユニット〉
上記室内ユニット（１Ｂ）は、利用側熱交換器である室内熱交換器（空調熱交換器）（４１）と膨張機構である室内膨張弁（４２）とを備えている。室内膨張弁（４２）には電子膨張弁が用いられている。上記室内熱交換器（４１）のガス側は、連絡ガス管（１７）が接続されている。一方、上記室内熱交換器（４１）の液側は、室内膨張弁（４２）を介して第２連絡液管（１２）が接続されている。尚、上記室内熱交換器（４１）は、例えば、クロスフィン式のフィン・アンド・チューブ型熱交換器であって、利用側ファンである室内ファン（４３）が近接して配置されている。
【００５４】
〈冷蔵ユニット〉
上記冷蔵ユニット（１Ｃ）は、冷却熱交換器である冷蔵熱交換器（４５）と膨張機構である冷蔵膨張弁（４６）とを備えている。冷蔵膨張弁（４６）には電子膨張弁が用いられている。上記冷蔵熱交換器（４５）の液側は、冷蔵膨張弁（４６）を介して第１連絡液管（１１）が接続されている。一方、上記冷蔵熱交換器（４５）のガス側は、低圧ガス管（１５）が接続されている。
【００５５】
上記冷蔵熱交換器（４５）は、第１系統の圧縮機構（２Ｄ）の吸込側に連通する一方、上記室内熱交換器（４１）は、冷房運転時に第２ノンインバータ圧縮機（２Ｃ）の吸込側に連通している。上記冷蔵熱交換器（４５）の冷媒圧力（蒸発圧力）は室内熱交換器（４１）の冷媒圧力（蒸発圧力）より低くなる。この結果、上記冷蔵熱交換器（４５）の冷媒蒸発温度は、例えば、−１０℃となり、室内熱交換器（４１）の冷媒蒸発温度は、例えば、＋５℃となって冷媒回路（１Ｅ）が異温度蒸発の回路を構成している。
【００５６】
尚、上記冷蔵熱交換器（４５）は、例えば、クロスフィン式のフィン・アンド・チューブ型熱交換器であって、冷却ファンである冷蔵ファン（４７）が近接して配置されている。
【００５７】
〈冷凍ユニット〉
上記冷凍ユニット（１Ｄ）は、冷却熱交換器である冷凍熱交換器（５１）と膨張機構である冷凍膨張弁（５２）と冷凍圧縮機であるブースタ圧縮機（５３）とを備えている。冷凍膨張弁（５２）には電子膨張弁が用いられている。上記冷凍熱交換器（５１）の液側は、第１連絡液管（１１）より分岐した分岐液管（１３）が冷凍膨張弁（５２）を介して接続されている。
【００５８】
上記冷凍熱交換器（５１）のガス側とブースタ圧縮機（５３）の吸込側とは、接続ガス管（５４）によって接続されている。該ブースタ圧縮機（５３）の吐出側には、低圧ガス管（１５）より分岐した分岐ガス管（１６）が接続されている。該分岐ガス管（１６）には、逆止弁（７）とオイルセパレータ（５５）とが設けられている。該オイルセパレータ（５５）と接続ガス管（５４）との間には、キャピラリチューブ（５６）を有する油戻し管（５７）が接続されている。
【００５９】
上記ブースタ圧縮機（５３）は、冷凍熱交換器（５１）の冷媒蒸発温度が冷蔵熱交換器（４５）の冷媒蒸発温度より低くなるように第１系統の圧縮機構（２Ｄ）との間で冷媒を２段圧縮している。上記冷凍熱交換器（５１）の冷媒蒸発温度は、例えば、−４０℃に設定されている。
【００６０】
尚、上記冷凍熱交換器（５１）は、例えば、クロスフィン式のフィン・アンド・チューブ型熱交換器であって、冷却ファンである冷凍ファン（５８）が近接して配置されている。
【００６１】
また、上記ブースタ圧縮機（５３）の吸込側である接続ガス管（５４）とブースタ圧縮機（５３）の吐出側である分岐ガス管（１６）の逆止弁（７）の下流側との間には、逆止弁（７）を有するバイパス管（５９）が接続されている。該バイパス管（５９）は、ブースタ圧縮機（５３）の故障等の停止時に該ブースタ圧縮機（５３）をバイパスして冷媒が流れるように構成されている。
【００６２】
〈制御系統〉
上記冷媒回路（１Ｅ）には、各種センサ及び各種スイッチが設けられている。上記室外ユニット（１Ａ）の高圧ガス管（８）には、高圧冷媒圧力を検出する圧力検出手段である高圧圧力センサ（６１）と、高圧冷媒温度を検出する温度検出手段である吐出温度センサ（６２）とが設けられている。上記第２ノンインバータ圧縮機（２Ｃ）の吐出管（５ｃ）には、高圧冷媒温度を検出する温度検出手段である吐出温度センサ（６３）が設けられている。また、上記インバータ圧縮機（２Ａ）、第１ノンインバータ圧縮機（２Ｂ）及び第２ノンインバータ圧縮機（２Ｃ）の各吐出管（５ａ，５ｂ，５ｃ）には、それぞれ、高圧冷媒圧力が所定値になると開く圧力スイッチ（６４）が設けられている。
【００６３】
上記低圧ガス管（１５）と、第２ノンインバータ圧縮機（２Ｃ）の吸入管（６ｃ）とには、低圧冷媒圧力を検出する圧力検出手段である低圧圧力センサ（６５，６６）が設けられている。また、上記インバータ圧縮機（２Ａ）及び第２ノンインバータ圧縮機（２Ｃ）の各吸入管（６ａ，６ｃ）には、低圧冷媒温度を検出する温度検出手段である吸入温度センサ（６７，６８）が設けられている。
【００６４】
また、上記室外ユニット（１Ａ）には、室外空気温度を検出する温度検出手段である外気温センサ（７０）が設けられている。
【００６５】
上記室内熱交換器（４１）には、室内熱交換器（４１）における冷媒温度である凝縮温度又は蒸発温度を検出する温度検出手段である室内熱交換センサ（７１）が設けられると共に、ガス側にガス冷媒温度を検出する温度検出手段であるガス温センサ（７２）が設けられている。また、上記室内ユニット（１Ｂ）には、室内空気温度を検出する温度検出手段である室温センサ（７３）が設けられている。
【００６６】
上記冷蔵ユニット（１Ｃ）には、冷蔵用のショーケース内の庫内温度を検出する温度検出手段である冷蔵温度センサ（７４）が設けられている。また、上記冷蔵熱交換器（４５）には、冷蔵熱交換器（４５）における冷媒温度である蒸発温度を検出する温度検出手段としての冷蔵熱交換センサ（７６）が設けられると共に、ガス側にガス温センサ（７７）が設けられている。
【００６７】
上記冷凍ユニット（１Ｄ）には、冷凍用のショーケース内の庫内温度を検出する温度検出手段である冷凍温度センサ（７５）が設けられている。また、上記冷凍熱交換器（５１）には、冷凍熱交換器（５１）における冷媒温度である蒸発温度を検出する温度検出手段としての冷凍熱交換センサ（７８）が設けられると共に、ガス側にガス温センサ（７９）が設けられている。ブースタ圧縮機（５３）の吐出側には、吐出冷媒圧力が所定値になると開く圧力スイッチ（６４）が設けられている。
【００６８】
上記各種センサ及び各種スイッチの出力信号は、制御手段であるコントローラ（８０）に入力される。このコントローラ（８０）は、冷媒回路（１Ｅ）の運転を制御し、後述する８種類の運転モードを切り換えて制御するように構成されている。そして、該コントローラ（８０）は、運転時に、インバータ圧縮機（２Ａ）の起動、停止及び容量制御や、第１ノンインバータ圧縮機（２Ｂ）及び第２ノンインバータ圧縮機（２Ｃ）の起動及び停止、さらには各膨張弁（２６，２９，４２，４６，５２）の開度調節などに関して制御を行うとともに、各四路切換弁（３Ａ，３Ｂ，３Ｃ）の切り換えや、油戻し管（３１ａ，３１ｂ）及び均油管（３２，３３，３４）の電磁弁（ＳＶ０，ＳＶ１，ＳＶ２，ＳＶ３，ＳＶ４）についての開閉操作なども行う。
【００６９】
−運転動作−
次に、上記冷凍装置（１）が行う運転動作について各運転毎に説明する。本実施形態では、例えば８種類の運転モードを設定することができるように構成されている。具体的には、▲１▼室内ユニット（１Ｂ）の冷房のみを行う冷房運転、▲２▼冷蔵ユニット（１Ｃ）と冷凍ユニット（１Ｄ）の冷却のみを行う冷凍運転、▲３▼室内ユニット（１Ｂ）の冷房と冷蔵ユニット（１Ｃ）及び冷凍ユニット（１Ｄ）の冷却とを同時に行う第１冷房冷凍運転、▲４▼第１冷房冷凍運転時の室内ユニット（１Ｂ）の冷房能力が不足した場合の運転である第２冷房冷凍運転、▲５▼室内ユニット（１Ｂ）の暖房のみを行う暖房運転、▲６▼室内ユニット（１Ｂ）の暖房と冷蔵ユニット（１Ｃ）及び冷凍ユニット（１Ｄ）の冷却を室外熱交換器（４）を用いずに熱回収運転で行う第１暖房冷凍運転、▲７▼第１暖房冷凍運転時に室内ユニット（１Ｂ）の暖房能力が余る暖房の能力過剰運転である第２暖房冷凍運転、そして▲８▼第１暖房冷凍運転時に室内ユニット（１Ｂ）の暖房能力が不足する暖房の能力不足運転である第３暖房冷凍運転が可能に構成されている。
【００７０】
以下、個々の運転の動作について具体的に説明する。
【００７１】
〈冷房運転〉
この冷房運転は、室内ユニット（１Ｂ）の冷房のみを行う運転である。この冷房運転時は、図２に示すように、インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する。そして、上記第２系統の圧縮機構（２Ｅ）である第１ノンインバータ圧縮機（２Ｂ）及び第２ノンインバータ圧縮機（２Ｃ）のみを駆動する。
【００７２】
また、図２の実線で示すように、第１四路切換弁（３Ａ）及び第２四路切換弁（３Ｂ）はそれぞれ第１の状態に切り換わり、第３四路切換弁（３Ｃ）は第２の状態に切り換わる。また、室外膨張弁（２６）、冷蔵膨張弁（４６）及び冷凍膨張弁（５２）は閉鎖している。
【００７３】
この状態において、第１ノンインバータ圧縮機（２Ｂ）及び第２ノンインバータ圧縮機（２Ｃ）から吐出した冷媒は、第１四路切換弁（３Ａ）から室外ガス管（９）を経て室外熱交換器（４）に流れて凝縮する。凝縮した液冷媒は、液管（１０）を流れ、レシーバ（１４）を経て第２連絡液管（１２）を流れ、さらに室内膨張弁（４２）を経て室内熱交換器（４１）に流れて蒸発する。蒸発したガス冷媒は、連絡ガス管（１７）から第１四路切換弁（３Ａ）及び第２四路切換弁（３Ｂ）を経て第２ノンインバータ圧縮機（２Ｃ）の吸入管（６ｃ）を流れる。この低圧のガス冷媒の一部は第２ノンインバータ圧縮機（２Ｃ）に戻り、ガス冷媒の他の一部は第２ノンインバータ圧縮機（２Ｃ）の吸入管（６ｃ）から分岐管（６ｅ）に分流し、第３四路切換弁（３Ｃ）を通って第１ノンインバータ圧縮機（２Ｂ）に戻る。冷媒が以上の循環を繰り返すことで、店内の冷房が行われる。
【００７４】
なお、この運転状態では、室内の冷房負荷に応じて、第１ノンインバータ圧縮機（２Ｂ）と第２ノンインバータ圧縮機（２Ｃ）の起動と停止や、室内膨張弁（４２）の開度などが制御される。圧縮機（２Ｂ、２Ｃ）は１台のみを運転することも可能である。
【００７５】
〈冷凍運転〉
冷凍運転は、冷蔵ユニット（１Ｃ）と冷凍ユニット（１Ｄ）の冷却のみを行う運転である。この冷凍運転時は、図３に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記第１系統の圧縮機構（２Ｄ）であるインバータ圧縮機（２Ａ）及び第１ノンインバータ圧縮機（２Ｂ）を駆動すると共に、ブースタ圧縮機（５３）も駆動する一方、第２ノンインバータ圧縮機（２Ｃ）は停止している。
【００７６】
また、図３の実線で示すように、第１四路切換弁（３Ａ）及び第２四路切換弁（３Ｂ）は第１の状態に切り換わり、第３四路切換弁（３Ｃ）も第１の状態に切り換わる。さらに、冷蔵膨張弁（４６）及び冷凍膨張弁（５２）が所定開度に開口される一方、室外膨張弁（２６）及び室内膨張弁（４２）が閉鎖している。
【００７７】
この状態において、インバータ圧縮機（２Ａ）及び第１ノンインバータ圧縮機（２Ｂ）から吐出した冷媒は、第１四路切換弁（３Ａ）から室外ガス管（９）を経て室外熱交換器（４）に流れて凝縮する。凝縮した液冷媒は、液管（１０）を流れ、レシーバ（１４）を経て第１連絡液管（１１）を流れ、一部が冷蔵膨張弁（４６）を経て冷蔵熱交換器（４５）に流れて蒸発する。
【００７８】
一方、第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００７９】
上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。冷媒が以上の循環を繰り返すことで、冷蔵用ショーケースと冷凍用ショーケースの庫内が冷却される。
【００８０】
上記冷凍熱交換器（５１）における冷媒圧力は、ブースタ圧縮機（５３）で吸引されるので、冷蔵熱交換器（４５）における冷媒圧力より低圧となる。この結果、例えば、上記冷凍熱交換器（５１）における冷媒温度（蒸発温度）が−４０℃となり、上記冷蔵熱交換器（４５）における冷媒温度（蒸発温度）が−１０℃となる。
【００８１】
この冷凍運転時には、例えば低圧圧力センサ（６５）が検出する低圧冷媒圧力（ＬＰ）に基づいて第１ノンインバータ圧縮機（２Ｂ）の起動と停止やインバータ圧縮機（２Ａ）の起動、停止または容量制御を行い、冷凍負荷に応じた運転を行う。
【００８２】
例えば、通常の運転時に圧縮機構（２Ｄ）の容量を増大する制御は、まず第１ノンインバータ圧縮機（２Ｂ）が停止した状態でインバータ圧縮機（２Ａ）を駆動する。インバータ圧縮機（２Ａ）が最大容量に上昇した後にさらに負荷が増大すると、第１ノンインバータ圧縮機（２Ｂ）を駆動すると同時にインバータ圧縮機（２Ａ）を最低容量に減少させる。その後、さらに負荷が増加すると、第１ノンインバータ圧縮機（２Ｂ）を起動したままでインバータ圧縮機（２Ａ）の容量を上昇させる。圧縮機容量の減少制御では、この増大制御と逆の動作が行われる。
【００８３】
また、外気温度が所定温度以上のときは、圧縮機構（２Ｄ）の容量を増大する制御は、インバータ圧縮機（２Ａ）が最大容量になって第１ノンインバータ圧縮機（２Ｂ）を冷蔵・冷凍側に起動する際に、インバータ圧縮機（２Ａ）の容量を低下させず、最大容量に維持したままで行う。なお、制御の詳細については後述する。
【００８４】
〈第１冷房冷凍運転〉
この第１冷房冷凍運転は、室内ユニット（１Ｂ）の冷房と冷蔵ユニット（１Ｃ）及び冷凍ユニット（１Ｄ）の冷却とを同時に行う運転である。この第１冷房冷凍運転時は、図４に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）及び第２ノンインバータ圧縮機（２Ｃ）を駆動すると共に、ブースタ圧縮機（５３）も駆動する。
【００８５】
また、第１四路切換弁（３Ａ）、第２四路切換弁（３Ｂ）及び第３四路切換弁（３Ｃ）は、図４の実線で示すように、それぞれ第１の状態に切り換わる。さらに、室内膨張弁（４２）、冷蔵膨張弁（４６）及び冷凍膨張弁（５２）が所定開度に開口される一方、室外膨張弁（２６）は閉鎖している。
【００８６】
この状態において、インバータ圧縮機（２Ａ）と第１ノンインバータ圧縮機（２Ｂ）と第２ノンインバータ圧縮機（２Ｃ）から吐出した冷媒は、高圧ガス管（８）で合流し、第１四路切換弁（３Ａ）から室外ガス管（９）を経て室外熱交換器（４）に流れて凝縮する。凝縮した液冷媒は、液管（１０）を流れ、レシーバ（１４）を経て第１連絡液管（１１）と第２連絡液管（１２）とに分かれて流れる。
【００８７】
上記第２連絡液管（１２）を流れる液冷媒は、室内膨張弁（４２）を経て室内熱交換器（４１）に流れて蒸発する。蒸発したガス冷媒は、連絡ガス管（１７）から第１四路切換弁（３Ａ）及び第２四路切換弁（３Ｂ）を経て吸入管（６ｃ）を流れて第２ノンインバータ圧縮機（２Ｃ）に戻る。
【００８８】
一方、上記第１連絡液管（１１）を流れる液冷媒の一部が冷蔵膨張弁（４６）を経て冷蔵熱交換器（４５）に流れて蒸発する。また、上記第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【００８９】
上記冷蔵熱交換器（４５）で蒸発したガス冷媒とブースタ圧縮機（５３）から吐出されたガス冷媒とは、低圧ガス管（１５）で合流し、インバータ圧縮機（２Ａ）及び第１ノンインバータ圧縮機（２Ｂ）に戻る。
【００９０】
冷媒が以上のように循環を繰り返すことにより、店内が冷房されると同時に、冷蔵用ショーケースと冷凍用ショーケースの庫内が冷却される。
【００９１】
〈第２冷房冷凍運転〉
第２冷房冷凍運転は、上記第１冷房冷凍運転時の室内ユニット（１Ｂ）の冷房能力が不足した場合の運転であり、第１ノンインバータ圧縮機（２Ｂ）を空調側に切り換えた運転である。この第２冷房冷凍運転時の設定は、図５に示すように、基本的に第１冷房冷凍運転時と同様であるが、第３四路切換弁（３Ｃ）が第２の状態に切り換わる点が第１冷房冷凍運転と異なる。
【００９２】
したがって、この第２冷房冷凍運転時においては、第１冷房冷凍運転と同様に、インバータ圧縮機（２Ａ）、第１ノンインバータ圧縮機（２Ｂ）及び第２ノンインバータ圧縮機（２Ｃ）から吐出した冷媒は、室外熱交換器（４）で凝縮し、室内熱交換器（４１）と冷蔵熱交換器（４５）と冷凍熱交換器（５１）で蒸発する。
【００９３】
そして、上記室内熱交換器（４１）で蒸発した冷媒は、第１ノンインバータ圧縮機（２Ｂ）及び第２ノンインバータ圧縮機（２Ｃ）に戻り、冷蔵熱交換器（４５）及び冷凍熱交換器（５１）で蒸発した冷媒は、インバータ圧縮機（２Ａ）に戻ることになる。空調側に２台の圧縮機（２Ｂ，２Ｃ）を使うことで、冷房能力の不足が補われる。
【００９４】
なお、第１冷房冷凍運転と第２冷房冷凍運転の具体的な切り換え制御については後述する。
【００９５】
〈暖房運転〉
この暖房運転は、室内ユニット（１Ｂ）の暖房のみを行う運転である。この暖房運転時は、図６に示すように、インバータ圧縮機（２Ａ）が第１系統の圧縮機構（２Ｄ）を構成し、第１ノンインバータ圧縮機（２Ｂ）と第２ノンインバータ圧縮機（２Ｃ）とが第２系統の圧縮機構（２Ｅ）を構成する。そして、上記第２系統の圧縮機構（２Ｅ）である第１ノンインバータ圧縮機（２Ｂ）及び第２ノンインバータ圧縮機（２Ｃ）のみを駆動する。
【００９６】
また、図６の実線で示すように、第１四路切換弁（３Ａ）は第２の状態に切り換わり、第２四路切換弁（３Ｂ）は第１の状態に切り換わり、第３四路切換弁（３Ｃ）は第２の状態に切り換わる。一方、冷蔵膨張弁（４６）及び冷凍膨張弁（５２）は閉鎖している。
【００９７】
この状態において、第１ノンインバータ圧縮機（２Ｂ）及び第２ノンインバータ圧縮機（２Ｃ）から吐出した冷媒は、第１四路切換弁（３Ａ）から連絡ガス管（１７）を経て室内熱交換器（４１）に流れて凝縮する。凝縮した液冷媒は、第２連絡液管（１２）を流れ、分岐液管（３６）からレシーバ（１４）に流入する。その後、上記液冷媒は、補助液管（２５）の室外膨張弁（２６）を経て室外熱交換器（４）に流れて蒸発する。蒸発したガス冷媒は、室外ガス管（９）から第１四路切換弁（３Ａ）及び第２四路切換弁（３Ｂ）を経て第２ノンインバータ圧縮機（２Ｃ）の吸入管（６ｃ）を流れ、第１ノンインバータ圧縮機（２Ｂ）及び第２ノンインバータ圧縮機（２Ｃ）に戻る。この循環を繰り返し、室内が暖房される。
【００９８】
なお、冷房運転と同様、圧縮機（２Ｂ，２Ｃ）は１台で運転することも可能である。
【００９９】
〈第１暖房冷凍運転〉
この第１暖房冷凍運転は、室外熱交換器（４）を用いず、室内ユニット（１Ｂ）の暖房と冷蔵ユニット（１Ｃ）及び冷凍ユニット（１Ｄ）の冷却を行う熱回収運転である。この第１暖房冷凍運転は、図７に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）及び第１ノンインバータ圧縮機（２Ｂ）を駆動すると共に、ブースタ圧縮機（５３）も駆動する。上記第２ノンインバータ圧縮機（２Ｃ）は、停止している。
【０１００】
また、図７の実線で示すように、第１四路切換弁（３Ａ）は第２の状態に切り換わり、第２四路切換弁（３Ｂ）及び第３四路切換弁（３Ｃ）は第１の状態に切り換わる。さらに、冷蔵膨張弁（４６）及び冷凍膨張弁（５２）が所定開度に開口する一方、室外膨張弁（２６）が閉鎖し、室内膨張弁（４２）は全開となる。
【０１０１】
この状態において、インバータ圧縮機（２Ａ）と第１ノンインバータ圧縮機（２Ｂ）から吐出した冷媒は、第１四路切換弁（３Ａ）から連絡ガス管（１７）を経て室内熱交換器（４１）に流れて凝縮する。凝縮した液冷媒は、第２連絡液管（１２）からレシーバ（１４）を経て第１連絡液管（１１）を流れる。
【０１０２】
上記第１連絡液管（１１）を流れる液冷媒の一部が冷蔵膨張弁（４６）を経て冷蔵熱交換器（４５）に流れて蒸発する。また、上記第１連絡液管（１１）を流れる他の液冷媒は、分岐液管（１３）を流れ、冷凍膨張弁（５２）を経て冷凍熱交換器（５１）に流れて蒸発する。この冷凍熱交換器（５１）で蒸発したガス冷媒は、ブースタ圧縮機（５３）に吸引されて圧縮され、分岐ガス管（１６）に吐出される。
【０１０３】
上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスし、１００％の熱回収が行われる。
【０１０４】
〈第２暖房冷凍運転〉
この第２暖房冷凍運転は、上記第１暖房冷凍運転時に室内ユニット（１Ｂ）の暖房能力が余る暖房の能力過剰運転である。この第２暖房冷凍運転時は、図８に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）及び第１ノンインバータ圧縮機（２Ｂ）を駆動すると共に、ブースタ圧縮機（５３）も駆動する。上記第２ノンインバータ圧縮機（２Ｃ）は、停止している。
【０１０５】
この第２暖房冷凍運転は、上記第１暖房冷凍運転時において、暖房能力が余る場合の運転であり、第２四路切換弁（３Ｂ）が図８の実線で示すように第２の状態に切り換わっている他は、上記第１暖房冷凍運転と同じである。
【０１０６】
したがって、インバータ圧縮機（２Ａ）と第１ノンインバータ圧縮機（２Ｂ）から吐出した冷媒の一部は、上記第１暖房冷凍運転と同様に室内熱交換器（４１）に流れて凝縮する。凝縮した液冷媒は、第２連絡液管（１２）から分岐液管（３６）を経てレシーバ（１４）へ流れ、第１連絡液管（１１）を流れる。
【０１０７】
一方、上記インバータ圧縮機（２Ａ）と第１ノンインバータ圧縮機（２Ｂ）から吐出した他の冷媒は、補助ガス管（１９）から第２四路切換弁（３Ｂ）及び第１四路切換弁（３Ａ）を経て室外ガス管（９）を流れ、室外熱交換器（４）で凝縮する。この凝縮した液冷媒は、液管（１０）を流れ、第２連絡液管（１２）からの液冷媒と合流してレシーバ（１４）に流れ、第１連絡液管（１１）を流れる。
【０１０８】
その後、上記第１連絡液管（１１）を流れる液冷媒の一部が冷蔵熱交換器（４５）に流れて蒸発する。また、上記第１連絡液管（１１）を流れる他の液冷媒は、冷凍熱交換器（５１）に流れて蒸発し、ブースタ圧縮機（５３）に吸入される。上記冷蔵熱交換器（４５）で蒸発したガス冷媒とブースタ圧縮機（５３）から吐出したガス冷媒とは、低圧ガス管（１５）で合流し、インバータ圧縮機（２Ａ）及び第１ノンインバータ圧縮機（２Ｂ）に戻る。この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスせず、余る凝縮熱を室外熱交換器（４）で室外に放出する。
【０１０９】
〈第３暖房冷凍運転〉
この第３暖房冷凍運転は、上記第１暖房冷凍運転時に室内ユニット（１Ｂ）の暖房能力が不足する暖房の能力不足運転である。この第３暖房冷凍運転は、図９に示すように、インバータ圧縮機（２Ａ）と第１ノンインバータ圧縮機（２Ｂ）とが第１系統の圧縮機構（２Ｄ）を構成し、第２ノンインバータ圧縮機（２Ｃ）が第２系統の圧縮機構（２Ｅ）を構成する。そして、上記インバータ圧縮機（２Ａ）、第１ノンインバータ圧縮機（２Ｂ）、及び第２ノンインバータ圧縮機（２Ｃ）を駆動すると共に、ブースタ圧縮機（５３）も駆動する。
【０１１０】
この第３暖房冷凍運転は、上記第１暖房冷凍運転時において、暖房能力が不足する場合の運転で、つまり、蒸発熱量が不足している場合であり、室外膨張弁（２６）の開度が制御され、第２ノンインバータ圧縮機（２Ｃ）が駆動されている点の他は、上記第１暖房冷凍運転と同じである。
【０１１１】
したがって、インバータ圧縮機（２Ａ）と第１ノンインバータ圧縮機（２Ｂ）と第２ノンインバータ圧縮機（２Ｃ）から吐出した冷媒は、上記第１暖房冷凍運転と同様に連絡ガス管（１７）を経て室内熱交換器（４１）に流れて凝縮する。凝縮した液冷媒は、第２連絡液管（１２）から分岐液管（３６）を介してレシーバ（１４）に流れる。
【０１１２】
その後、レシーバ（１４）からの液冷媒の一部は、第１連絡液管（１１）を流れ、該第１連絡液管（１１）を流れる液冷媒の一部が冷蔵熱交換器（４５）に流れて蒸発する。また、上記第１連絡液管（１１）を流れる他の液冷媒は、冷凍熱交換器（５１）に流れて蒸発し、ブースタ圧縮機（５３）に吸入される。上記冷蔵熱交換器（４５）で蒸発したガス冷媒とブースタ圧縮機（５３）から吐出したガス冷媒とは、低圧ガス管（１５）で合流し、インバータ圧縮機（２Ａ）と第１ノンインバータ圧縮機（２Ｂ）に戻る。
【０１１３】
一方、上記レシーバ（１４）からの他の液冷媒は、液管（１０）を経て室外熱交換器（４）に流れ、蒸発する。蒸発したガス冷媒は、室外ガス管（９）を流れ、第１四路切換弁（３Ａ）及び第２四路切換弁（３Ｂ）を経て第２ノンインバータ圧縮機（２Ｃ）の吸入管（６ｃ）を流れ、該第２ノンインバータ圧縮機（２Ｃ）に戻る。
【０１１４】
この循環を繰り返し、店内を暖房すると同時に、冷蔵用ショーケースと冷凍用ショーケースの庫内を冷却する。つまり、冷蔵ユニット（１Ｃ）と冷凍ユニット（１Ｄ）との冷却能力（蒸発熱量）と、室内ユニット（１Ｂ）の暖房能力（凝縮熱量）とがバランスせず、不足する蒸発熱を室外熱交換器（４）から得る。
【０１１５】
〈圧縮機構の能力制御〉
次に、圧縮機構（２Ｄ，２Ｅ）の具体的な制御内容（インバータ圧縮機（２Ａ）の容量制御や、第１ノンインバータ圧縮機（２Ｂ）を冷蔵・冷凍側と空調側（もしくは停止状態）とで切り換える制御など）について説明する。以下では、第１冷房冷凍運転時と第２冷房冷凍運転時の制御について説明する。
【０１１６】
（高外気判断）
まず、本実施形態では、高外気であるかどうか（室外温度が所定温度以上であるかどうか）を判断しながら制御を行うようにしている。これは、高外気温時には、冷蔵ショーケース、冷凍ショーケース、及び店内のすべてについて高能力で運転することが望ましく、そのような制御を可能にするためである。
【０１１７】
高外気であるかどうかの判断は、図１０のフローチャートに基づいて行う。このフローで用いている高外気フラグは、室外温度が所定温度以上であるかどうかを判断するためのフラグであり、「１」は高外気の状態を表し、「０」は高外気でない状態（以下ではこの状態を低外気という）を表す。
【０１１８】
このフローのステップＳＴ１１では、高外気フラグが「０」であり、かつ外気温度が（３２＋ＳＷ１）℃以上かどうかを判別する。ここで、「ＳＷ１」は例えば機械ごとに個別に設定される値であり、高外気の判断基準を調整するために用いられている。例えばＳＷ１がゼロのときは、高外気フラグが「０」で外気温度が３２℃以上であればこの条件が満たされるため、ステップＳＴ１２に進んで高外気フラグを「１」にセットする。このとき、機械は室外が高温であると判断したことになる。
【０１１９】
ステップＳＴ１１の判別結果が「ＮＯ」のときは、高外気フラグが既に「１」であるか、外気温度が３２℃よりも低い状態である。このときは、ステップＳＴ１３へ進み、高外気フラグが「１」であり、かつ外気温度が（２９＋ＳＷ１）℃よりも低いかどうかを判別する。ＳＷ１がゼロのときは、高外気フラグが「１」で外気温度が２９℃より低いと、この条件が満たされるため、ステップＳＴ１４に進んで高外気フラグを「０」にセットする。このとき、機械は室外が高温でないと判断したことになる。
【０１２０】
また、ステップＳＴ１３の判別結果が「ＮＯ」であると、高外気フラグが「１」であって外気が３２℃以上であるか、高外気フラグが「０」であって外気が２９℃よりも低い状態である。つまり、既に外気温度に応じた高外気フラグが立てられた状態である。したがって、このときは高外気フラグの操作をせずにリターンする。
【０１２１】
（低圧圧力による能力制御）
図１１は、冷媒回路の低圧圧力に基づく圧縮機構（２Ｄ，２Ｅ）の能力制御を示すフローチャートである。このフローチャートの動作は、少なくとも冷蔵・冷凍系統の運転が行われている状態（空調系統は運転中でも停止中でもよい）で実行されるが、ここでは、上述のように第１冷房冷凍運転時と第２冷房冷凍運転時の動作として説明する。
【０１２２】
このフローチャートのステップＳＴ２１では、まず冷蔵・冷凍側の低圧圧力の目標値（ＬＰｍ）を設定する。次にステップＳＴ２２では、冷蔵・冷凍側の低圧圧力の実測値（ＬＰ１）と目標値（ＬＰｍ）との差を求め、その圧力差から、冷蔵・冷凍側が能力ダウン条件、能力アップ条件、能力維持条件のいずれの状態であるかを判断する。
【０１２３】
ここで、能力ダウン条件は、上記低圧圧力の実測値（ＬＰ１）と目標値（ＬＰｍ）との圧力差（ＬＰ１−ＬＰｍ）が、機械ごとの調整値ＳＷ２を加味したときに、
（ＬＰ１−ＬＰｍ）＜−（１４．７（ＫＰａ）＋ＳＷ２）（−（０．１５（Ｋｇ／ｃｍ２）＋ＳＷ２））である場合、
能力アップ条件は、
（ＬＰ１−ＬＰｍ）＞（１４．７（ＫＰａ）＋ＳＷ２）である場合、
能力維持条件は、
−（１４．７（ＫＰａ）＋ＳＷ２）≦（ＬＰ１−ＬＰｍ）≦（１４．７（ＫＰａ）＋ＳＷ２）である場合とする。
【０１２４】
なお、上述の能力ダウン条件は、詳しくはインバータ圧縮機（２Ａ）が最低周波数よりも高い周波数で運転されている場合の条件であり、インバータ圧縮機（２Ａ）が最低周波数で運転されている場合は、さらに以下の条件を付加する。
（ａ）．（ＬＰ１−ＬＰｍ）＜−１４．７（ＫＰａ）が連続５分以上
（ｂ）．（ＬＰ１−ＬＰｍ）＜−２９．４（ＫＰａ）が連続１分以上
（ｃ）．（ＬＰ１−ＬＰｍ）＜−３９．２（ＫＰａ）
このうち、（ａ）は圧力差が比較的小さい状態が長い時間続いているとき、（ｂ）は圧力差が中程度で連続時間も中程度であるとき、（ｃ）は圧力差が一瞬でもかなり大きくなったときを示す。いずれも冷蔵・冷凍側が冷えすぎていると考えられるときであり、このようなときにはインバータ圧縮機（２Ａ）の能力ダウンを可能とする。なお、上記（ａ）〜（ｃ）の条件を設定しているのは、インバータ圧縮機（２Ａ）を最低周波数で運転しているときでも、特に高外気のときには、極端に冷えすぎにならない限りはインバータ圧縮機（２Ａ）をすぐには停止させず、冷蔵・冷凍能力を確保することを目的としている。
【０１２５】
上記ダウン条件に該当するときは、ステップＳＴ２３へ進む。このステップＳＴ２３では、高外気フラグが「１」であり、かつ運転モードが図４の第１冷房冷凍運転であるかどうかを判別する。この両方が満たされているときは、高外気でかつインバータ圧縮機（２Ａ）と第１ノンインバータ圧縮機（２Ｂ）の両方を冷蔵・冷凍側に用いている運転状態である。このときは、冷蔵・冷凍の能力を維持するために、冷媒回路の低圧圧力が上記のように低くても圧縮機構（２Ｄ，２Ｅ）の能力を落とさずにリターンする。これは、高外気温時には、冷蔵ショーケース及び冷凍ショーケースを高能力で運転することが望ましいからであり、しかもこのようにすると、冷蔵ショーケースや冷凍ショーケースの冷気を室内の冷房に利用することも可能となる。
【０１２６】
ステップＳＴ２３の判別結果が「ＮＯ」の場合、つまり第１冷房冷凍運転中でも低外気の場合や、運転モードが第２冷房冷凍運転（インバータ圧縮機（２Ａ）のみを冷蔵・冷凍側に用いている運転状態）であるときは、ステップＳＴ２４へ進んで冷蔵冷凍能力のダウン条件を成立させる。そして、ステップＳＴ２５においてインバータ圧縮機（２Ａ）の周波数レベルを１段階低下させる制御を行う。なお、第１冷房冷凍運転中にインバータ圧縮機（２Ａ）が最低周波数で回っているときは、インバータ圧縮機（２Ａ）を停止してノンインバータ圧縮機（２Ａ）のみでの運転に切り換える制御を行うこともある。
【０１２７】
一方、上述したステップＳＴ２２の能力アップ条件は、詳しくはインバータ圧縮機（２Ａ）が最大周波数よりも低い周波数で運転されている場合の条件であって、インバータ圧縮機（２Ａ）が最大周波数で運転されている場合は、さらに以下の条件を付加する。
（ａ）．（ＬＰ１−ＬＰｍ）＞１４．７（ＫＰａ）が連続１０分以上
（ｂ）．（ＬＰ１−ＬＰｍ）＞２９．４（ＫＰａ）が連続１分以上
（ｃ）．（ＬＰ１−ＬＰｍ）＞４９（ＫＰａ）
このうち、（ａ）は圧力差が比較的小さい状態が長い時間続いているとき、（ｂ）は圧力差が中程度で連続時間も中程度であるときで、（ｃ）は圧力差が一瞬でもかなり大きくなったときを示す。いずれも冷蔵・冷凍側の能力が不足しており、あまり冷えていないと考えられるときである。
【０１２８】
以上の条件に該当するときは、ステップＳＴ２６で冷蔵冷凍能力のアップ条件を成立させ、ステップＳＴ２７でインバータ圧縮機（２Ａ）の能力アップを要求する。つまり、能力が不足している場合は、その能力の不足量が大きいとき（上記（ｃ）の場合）にはすぐにインバータ圧縮機（２Ａ）の容量を増大させるが、能力の不足量がそれよりも少ないときは、その不足の程度と不足時間を加味した制御を行う。この制御を行う際に、ステップＳＴ２７において既にインバータ圧縮機（２Ａ）が最大周波数であるときは、第１ノンインバータ圧縮機（２Ｂ）を起動する制御も行う。
【０１２９】
なお、ステップＳＴ２２で能力維持条件に該当するときは、圧縮機（２Ａ，２Ｂ）の能力の調整は行わず、リターンする。
【０１３０】
以上のように、この図１１のフローチャートでは、高外気で第１冷房冷凍運転を行っているときは、冷媒回路（１Ｅ）の低圧圧力がある程度下がっても圧縮機構（２Ｄ，２Ｅ）の容量を低下させず、能力を維持する運転を行う。これにより、冷蔵・冷凍側の能力を維持できるだけでなく、冷蔵ショーケースや冷凍ショーケースの冷気を室内にも流せるため、室内の能力低下も防止できる。
【０１３１】
また、逆に冷媒回路（１Ｅ）の低圧圧力がある程度上がっても、能力の不足量が小さいときは圧縮機（２Ａ，２Ｂ）の容量を一定時間は増やさずに維持するようにしているので、低圧圧力の急激な低下による圧縮機（２Ａ，２Ｂ）の停止などの不具合も防止できる。また、能力の不足量が大きいときはすぐに圧縮機構（２Ｄ，２Ｅ）の容量を増やすので、能力不足は生じない。したがって、能力の不足度合いに応じた適切な運転制御を行うことができる。
【０１３２】
（第３四路切換弁の切換制御）
次に、図１２のフローチャートを用いて、第３四路切換弁（３Ｃ）を図４の第１冷房冷凍運転時の位置（オフ位置という）と図５の第２冷房冷凍運転時の位置（オン位置という）とで切り換える制御について説明する。
【０１３３】
このフローチャートでは、まずステップＳＴ３１において、運転モードが図５の第２冷房冷凍運転であるかどうかを判別する。判別結果が「ＹＥＳ」のときはステップＳＴ３２へ進み、第２冷房冷凍運転から第１冷房冷凍運転へ切り換える条件（第３四路切換弁（３Ｃ）をオンからオフへ切り換える条件）が満たされているかどうかを判別し、その判別結果が「ＹＥＳ」の場合にはステップＳＴ３３で切り換え条件を成立させ、図１５のフローチャート（運転モード切り換え（Ａ））に進む。
【０１３４】
なお、ステップＳＴ３２では、図１３の条件が満たされているかどうかを判断する。そして、この条件が満たされていると、ショーケースの庫内は冷えていないが室内は冷えているため、第２冷房冷凍運転から第１冷房冷凍運転への切り換え条件が成立したと判断する。
【０１３５】
（１）では、空調側における室内吸い込み温度（Ｔｒ）と設定温度（Ｓｅｔ）の差が所定値（ＳＷ３をゼロとするとこの所定値はゼロとなる）よりも小さい状態が連続して１５分以上続いており、しかも冷蔵・冷凍側における低圧圧力の実測値と目標値との差（ＬＰ１−ＬＰｍ）が（１４．７（ＫＰａ）＋ＳＷ２）よりも大きいことを条件とする。この場合、室内が冷えていてサーモオフ領域に入っているが、冷媒回路（１Ｅ）の低圧圧力が高いことから庫内は冷えていないと判断する。
【０１３６】
（２）では、第２冷房冷凍運転が所定時間（５分、１０分、または１５分程度）連続しているときに、インバータ圧縮機（２Ａ）が最大周波数で回っており、しかも冷蔵・冷凍能力のアップ条件が成立したときに切り換え条件が満たされたと判断する。つまり、第２冷房冷凍運転でインバータ圧縮機（２Ａ）が最大周波数であるのに冷蔵・冷凍能力が不足していると、インバータ圧縮機（２Ａ）のみではそれ以上容量を上げられないので、第１ノンインバータ圧縮機（２Ｂ）を冷蔵・冷凍側に回す制御（第１冷房冷凍運転に切り換える制御）を行うと判断する。
【０１３７】
（３）では、第２冷房冷凍運転中にインバータ圧縮機（２Ａ）が最大周波数で回っており、空調能力のダウン条件が成立したときには、運転モードを第１冷房冷凍運転に切り換えて空調側の能力を冷蔵・冷凍側に回せる状態であると判断する。
【０１３８】
（４）では、第２冷房冷凍運転が所定時間（５分、１０分、または１５分程度）続いていること、冷蔵・冷凍側における低圧圧力の実測値と目標値との差（ＬＰ１−ＬＰｍ）が（１４．７（ＫＰａ）＋ＳＷ２）よりも大きい（庫内が冷えていない）こと、そしてインバータの電流値（ＡＤＣ）及びインバータのフィン温度（Ｔｆ）が図の値よりも高いことをすべて満たしているうえで、
（ａ）．（ＬＰ１−ＬＰｍ）＞１４．７（ＫＰａ）が連続１０分以上
（ｂ）．（ＬＰ１−ＬＰｍ）＞２９．４（ＫＰａ）が連続１分以上
（ｃ）．（ＬＰ１−ＬＰｍ）＞４９（ＫＰａ）
のいずれか一つに当てはまると、切り換え条件が成立したと判断する。
【０１３９】
要するに、第２冷房冷凍運転がある程度の時間連続しているときに冷蔵・冷凍の能力が不足する状態になると、冷蔵・冷凍の能力を高める必要があると判断する。このときは、インバータの電流値（ＡＤＣ）及びインバータのフィン温度（Ｔｆ）が高めであるため、インバータの周波数をそれ以上高くするとインバータ自体が停止してしまう。そこで、インバータ圧縮機（２Ａ）の周波数は保ったままで冷蔵・冷凍側の圧縮機構（２Ｄ，２Ｅ）の容量を増やすため、運転モードを第１冷房冷凍運転に切り換えて第１ノンインバータ圧縮機（２Ｂ）を冷蔵・冷凍側に回す操作を行う。
【０１４０】
この場合、ショーケースの庫内の能力不足が比較的小さい（ａ）の状態が１０分以上続くか、能力不足がそれよりも大きい（ｂ）の状態が１分以上続くか、さらに能力不足の大きい（ｃ）の状態に一瞬でもなるかに判断条件を分けて圧縮機の切り換えタイミングを制御している。このことにより、上記の圧力差が小さいのにすぐに容量を増やすような場合に起こりうる急激な能力変化を抑制できるため、能力不足を抑えながら圧縮機の発停を防止できる。
【０１４１】
次に、ステップＳＴ３１の判別結果が「ＮＯ」であったときの動作を説明する。このときはステップＳＴ３４へ進み、運転モードを第１冷房冷凍運転から第２冷房冷凍運転へ切り換える条件（第３四路切換弁（３Ｃ）をオフからオンへ切り換える条件）が満たされているかどうかを判別する。その判別結果が「ＹＥＳ」の場合にはステップＳＴ３５で切り換え条件を成立させ、図１６のフローチャート（運転モード切り換え（Ｂ））に進む。なお、ステップＳＴ３４の判断を行うときは、第１ノンインバータ圧縮機（２Ｂ）は冷蔵・冷凍側に切り換わっており、空調側は第２ノンインバータ圧縮機（２Ａ）のみで駆動している。
【０１４２】
ステップＳＴ３４では、図１４の条件が満たされているかどうかを判断する。そして、この条件が満たされていると、ショーケースの庫内はある程度冷えているが室内は冷えていない状態とみなし、第１冷房冷凍運転から第２冷房冷凍運転への切り換え条件が成立したと判断する。このとき、図１４の（１）に示す空調能力アップ条件（冷房負荷が所定値より大きいこと）が成立していることが前提であり、その上で（２）、（３）、（４）のいずれかの条件が満たされていると空調の能力アップを行う。
【０１４３】
（２）では、冷蔵・冷凍側における低圧圧力の実測値と目標値との差（ＬＰ１−ＬＰｍ）が−（１４．７（ＫＰａ）＋ＳＷ２）よりも小さいと、庫内が冷えていると判断する。この判断は、高外気フラグが「０」である（低外気である）ときに行う。この条件が満たされると、第１ノンインバータ圧縮機（２Ｂ）を空調側に回すことが可能となる。
【０１４４】
（３）では、高外気フラグが「１」のとき（外気温度が高いとき）には、上記の値（ＬＰ１−ＬＰｍ）が−（１４．７（ＫＰａ）＋ＳＷ２）よりも小さい（冷却負荷が小さい）状態で、冷媒回路（１Ｅ）の低圧圧力が２４５ＫＰａより低い状態が所定時間（５分、１０分、または１５分程度）続くと、切り換え条件が成立したと判断する。そして、インバータ圧縮機（２Ａ）の容量を維持したまま、第１ノンインバータ圧縮機（２Ｂ）を空調側に回すことを可能とする。
【０１４５】
（４）では、第１冷房冷凍運転が連続して２０分以上続き、室内吸い込み温度の最大値が２５（＋ＳＷ４）℃より高いと、切り換え条件が成立したと判断する。これは、第１ノンインバータ圧縮機（２Ｂ）が冷蔵・冷凍に用いられる第１冷房冷凍運転が長時間続くと（２）や（３）の状態に陥りやすくなるため、その予防策として設定したものである。
【０１４６】
なお、図１２においてステップＳＴ３２及びステップＳＴ３４の判別結果がいずれも「ＮＯ」であった場合は、第３四路切換弁（３Ｃ）の切り換えは行わず、運転モードをそのままにしてリターンする。
【０１４７】
（運転モード切り換え（Ａ））
図１５は、運転モードを第２冷房冷凍運転から第１冷房冷凍運転に切り換える制御のフローチャートである。このフローでは、まずステップＳＴ４１で電源周波数が５０Ｈｚか６０Ｈｚかを判断する。この判断は、電源周波数が５０Ｈｚか６０Ｈｚかに応じてインバータの周波数を適切に制御するために行う。
【０１４８】
電源周波数が５０Ｈｚである場合、ステップＳＴ４２へ進む。ここでは、Ｎ＞９であり、かつ高外気フラグが「０」であるかどうかを判別する。この判別に用いている値「Ｎ」は、インバータの周波数ステップを示す値で、最大値を２０とする。したがって、判別結果が「ＹＥＳ」であるとインバータ圧縮機（２Ａ）が半分よりも高周波数側で駆動されていることと、低外気であることが分かる。そして、このときは、ステップＳＴ４３において周波数ステップを全周波数のほぼ中間の「９」に固定する操作を行う。
【０１４９】
また、ステップＳＴ４２の判別結果が「ＮＯ」であるときは外気温度が高いときであり、このときはインバータの周波数ステップを操作せず、高めに維持しておく。これは、高外気のときに運転モードを切り換える際に能力がダウンしてしまうのを抑えるためであり、このためにはインバータの周波数を最大に維持しておくことが好ましい。以上の操作の後、ステップＳＴ４４へ進み、インバータ圧縮機（２Ａ）を冷蔵・冷凍側に切り換えるモード切り換えの操作を含む通常の運転制御を行う。
【０１５０】
ステップＳＴ４１の判別結果が「ＮＯ」のとき、電源周波数は６０Ｈｚである。このときは、電源周波数が５０Ｈｚである場合とほぼ同容量になるようにインバータ圧縮機（２Ａ）の駆動周波数を調整する。
【０１５１】
このため、まずステップＳＴ４５において、Ｎ＞７であり、高外気フラグが「０」であるかを判別する。この場合も、判別結果が「ＹＥＳ」であるとインバータ圧縮機（２Ａ）が比較的高容量で駆動されていることと、低外気であることが分かる。そして、このときは、ステップＳＴ４６において周波数ステップを「７」に固定する操作を行う。また、ステップＳＴ４５の判別結果が「ＮＯ」であるときは外気温度が高いときであり、このときはインバータの周波数ステップを操作せず、高めに維持したままでステップＳＴ４４へ進む。この場合も周波数は最大にすることが好ましい。
【０１５２】
以上のように、このフローの制御では、高外気温時に運転モードを第２冷房冷凍運転から第１冷房冷凍運転に切り換える際に、インバータ圧縮機（２Ａ）を低い周波数に落とす制御は行わず、インバータの周波数を高いままに維持している。また、低外気のときでもインバータの周波数を中間値に設定している。これにより、切り換え時に能力が一旦低下するのを防止できる。
【０１５３】
一方、上記のステップＳＴ４４では、室外ファン（４Ｆ）、室内ファン（４３）、各電子膨張弁（２６，２９，４２，４６，５２）及び電磁弁（ＳＶ０〜ＳＶ５）などを制御した後、第３四路切換弁（３Ｃ）をオフにし、室内膨張弁（４２）などの制御も行う。ここで、運転モードが第２冷房冷凍運転から第１冷房冷凍運転に切り換わる。
【０１５４】
運転モードが切り換わった瞬間は圧縮機構（２Ｄ，２Ｅ）の吸引力が強いので、冷媒回路の低圧圧力が急激に低下する可能性がある。そこで、ステップＳＴ４７からステップＳＴ４９では、そのときの運転動作の乱れを防止している。具体的には、通常運転時には低圧圧力が所定値まで下がるとサーモオフ（休止運転）になるようにしているのに対して、ステップＳＴ４７からステップＳＴ４９ではサーモオフを１分間禁止している。これは、低圧圧力が一瞬下がっても単に圧縮機構（２Ｄ，２Ｅ）の吸引力が強いだけなので、その状態をサーモオフと誤検知しないための制御である。以上により切換制御が終わると、第１冷房冷凍運転のモードで通常の運転制御が行われる。
【０１５５】
（運転モード切り換え（Ｂ））
図１６は、運転モードを第１冷房冷凍運転から第２冷房冷凍運転に切り換える制御のフローチャートである。このフローでは、ステップＳＴ５１において第３四路切換弁（３Ｃ）をオンに切り換えた後、室外ファン（４Ｆ）、室内ファン（４３）、各電子膨張弁（２６，２９，４２，４６，５２）及び電磁弁（ＳＶ０〜ＳＶ５）などを適宜制御する。その後、ステップＳＴ５２でインバータ圧縮機（２Ａ）の運転周波数を最大にする。これは、それまでは第１冷房冷凍運転において冷蔵冷凍側を２台（インバータ圧縮機（２Ａ）と第１ノンインバータ圧縮機（２Ｂ））で運転していたため、第２冷房冷凍運転で圧縮機が１台になったときの能力の急激な低下を抑えるための制御である。そして、この状態をステップＳＴ５３で１分間保持し、その後は第２冷房冷凍運転でのモードで通常の運転制御を行う。
【０１５６】
〈水噴霧制御〉
本実施形態では、高外気温時には能力不足が生じたり、電気代が高くなりやすいことから、これらを防止するために室外熱交換器（４）に水を噴霧するようにしている。そこで、この制御について図１７のフローチャートを用いて説明する。
【０１５７】
ステップＳＴ７１では、現在の運転モードが、冷房運転を行っていて圧縮機（２Ａ，２Ｂ，２Ｃ）を２台以上起動している運転モードかどうかを検出する。この運転状態であることを検出すると、ステップＳＴ７２において水噴霧のオン指令中であるかどうかを判別する。判別結果が「ＹＥＳ」のときはステップＳＴ７３へ進み、水噴霧が連続３０分経過しているかどうかを判別し、その後にステップＳＴ７４で水噴霧のオフ指令を出すことで、最低３０分間は水噴霧を継続する。
【０１５８】
ステップＳＴ７２の判別結果が「ＮＯ」のときはステップＳＴ７５へ進み、外気温度が３０℃より高く、高圧圧力が２．５ＭＰａより高いかどうかを判別する。そして、判別結果が「ＹＥＳ」のときはステップＳＴ７６で水噴霧を実行し、判別結果が「ＮＯ」のときはステップＳＴ７７で水噴霧のオフ指令を出してリターンする。また、ステップＳＴ７１の検出結果がその他の運転モードであるときも水噴霧は行わない。
【０１５９】
なお、室外熱交換器（４）への水噴霧は、外気温度が所定値（３０℃）以上である場合や、高圧圧力が所定値（２．５ＭＰａ）以上である場合の他、インバータの電流値が高いときや、インバータのフィン温度が高いとき、さらには装置の総合電流値が高いときなどに行ってもよい。特に、インバータのフィン温度や電流値を測定して室外熱交換器（４）に水を噴霧すると、単に外気温度を測る場合よりも誤検知しにくくなる利点がある。また、インバータを基準に水噴霧の制御を行うとインバータ自体が停止しにくくなるため、装置の能力ダウンも防ぐことができる。
【０１６０】
−実施形態の効果−
以上説明したように、本実施形態によれば、インバータ圧縮機（２Ａ）から吐出された冷媒が第１系統側回路のみを循環するとともに、第２ノンインバータ圧縮機（２Ｃ）から吐出された冷媒が第２系統側回路を循環する構成において、第１ノンインバータ圧縮機（２Ｂ）から吐出された冷媒が第１系統側回路を循環する状態と第２系統側回路を循環する状態とを切り換えられるようにして、インバータ圧縮機（２Ａ）を第１系統側に、第２ノンインバータ圧縮機（２Ｃ）を第２系統側に固定的に使用し、第１ノンインバータ圧縮機（２Ｂ）を両系統で切り換え可能にしている。
【０１６１】
そして、真夏などの高外気温時に、冷蔵・冷凍側でインバータ圧縮機（２Ａ）だけを最大容量で運転していて、それでも能力が不足すると、インバータ圧縮機（２Ａ）の容量を維持したまま、第１ノンインバータ圧縮機（２Ｂ）を冷蔵・冷凍系統に切り換えることができるため、冷蔵・冷凍系統における能力不足を防止できる。
【０１６２】
また、外気温度が所定温度よりも低いときに、冷蔵・冷凍側でインバータ圧縮機（２Ａ）だけを最大容量で運転していて能力が不足すると、インバータ圧縮機（２Ａ）の容量を一旦低下させてから第１ノンインバータ圧縮機（２Ｂ）を冷蔵・冷凍系統に切り換えるとよく、そうすることにより、冷媒回路（１Ｅ）の低圧圧力が急激に低下するのを防止できるため、第１ノンインバータ圧縮機（２Ｂ）の発停などの不安定な動作も防止できる。
【０１６３】
また、第１ノンインバータ圧縮機（２Ｂ）を冷蔵・冷凍系統に切り換える制御を行った後、サーモオン／オフの切り換えを所定時間禁止するようにしているので、上記切り換え後に誤ってサーモオフになるのを防止でき、動作が安定する。
【０１６４】
さらに、上記実施形態では、第１ノンインバータ圧縮機（２Ｂ）の切換制御を行うときに、冷蔵・冷凍系統における冷却能力の不足量を基準値と比較し、該冷却能力の不足量に応じた制御を行うようにしている。具体的には、冷蔵・冷凍系統における冷却能力の不足量が基準値よりも大きいときには、インバータ圧縮機（２Ａ）の容量を維持しながら第１ノンインバータ圧縮機（２Ｂ）を冷蔵・冷凍側にすぐに切り換え、冷却能力の不足量が基準値よりも小さいときには冷蔵・冷凍系統をインバータ圧縮機（２Ａ）だけで運転する状態をしばらく継続するようにしている。このことにより、圧縮機構（２Ｄ）の能力が不足気味になることを防止でき、しかも第１ノンインバータ圧縮機（２Ｂ）の発停が多くなるのも防止できる。
【０１６５】
また、第２冷房冷凍運転から第１冷房冷凍運転に切り換える際に、インバータ圧縮機（２Ａ）が最高周波数で運転されているときのほか、インバータが電流値が所定値よりも高くなっているときや、インバータのフィン温度が所定温度よりも高温になっていて、それ以上容量を増やすとインバータ自体が停止してしまうときにも、第１ノンインバータ圧縮機（２Ｂ）を冷蔵・冷凍系統に回すようにしているため、動作が安定化する。
【０１６６】
さらに、外気温度が所定温度以上でインバータ圧縮機（２Ａ）と第１ノンインバータ圧縮機（２Ｂ）を冷蔵・冷凍系統に用いている運転状態（第１冷房冷凍運転）では、冷蔵・冷凍系統の冷却負荷が所定値より小さくても、インバータ圧縮機（２Ａ）の容量を低下させないようにしているので、冷蔵・冷凍の庫内における食品などの品質を確実に維持できるうえ、ショーケースの庫内の冷気が室内に流れることで、室内の能力不足も防止できる。
【０１６７】
また、高外気の第１冷房冷凍運転時に、冷蔵・冷凍系統の冷却負荷が所定値より小さくかつ室内の冷房負荷が所定値よりも大きいときは、第１ノンインバータ圧縮機（２Ｂ）を空調系統に切り換えるようにしているので、冷蔵・冷凍側と空調側を効率よく冷却でき、ショーケースの周囲の室内空気を冷やすことでショーケースの能力低下も効果的に抑えられる。
【０１６８】
【発明のその他の実施の形態】
本発明は、上記実施形態について、以下のような構成としてもよい。
【０１６９】
例えば、上記実施形態では、第１圧縮機をインバータ圧縮機に、第２圧縮機と第３圧縮機をそれぞれノンインバータ圧縮機にしているが、第２，第３圧縮機は、ノンインバータ圧縮機とインバータ圧縮機のいずれにしてもよい。
【０１７０】
また、第１圧縮機が冷蔵・冷凍系統に専用であり、第２圧縮機が冷蔵・冷凍系統と空調系統で切り換えることができ、第３圧縮機が空調系統に専用であれば、各圧縮機（圧縮機手段）はそれぞれが２台以上からなるものであってもよい。
【０１７１】
また、上記実施形態で説明した冷凍装置の冷媒回路は一例であり、本発明は、圧縮機構（２Ｄ，２Ｅ）と、室外熱交換器（４）と、膨張機構（２６，４２，４６，５２）と、冷蔵・冷凍系統の利用側熱交換器（４５，５１）及び空調系統の利用側熱交換器（４１）とを有する冷媒回路（１Ｅ）を備え、圧縮機構（２Ｄ，２Ｅ）が、容量調整可能で冷蔵・冷凍系統専用の第１圧縮機手段（２Ａ）と、冷蔵・冷凍系統と空調系統とで切り換えられる第２圧縮機手段（２Ｂ）と、空調系統専用の第３圧縮機手段（２Ｃ）とからなる冷凍装置であれば適用可能である。
【０１７２】
【発明の効果】
請求項１，２に記載の発明によれば、真夏などの高外気温時に冷蔵・冷凍側で第１圧縮機手段（２Ａ）だけを最大容量で運転していても能力が不足する場合に、第１圧縮機手段（２Ａ）を最大容量に維持したまま、第２圧縮機手段（２Ｂ）を冷蔵・冷凍系統に切り換えることができるため、その切り換え時に冷蔵・冷凍系統における能力不足を防止でき、動作が安定する。
【０１７３】
また、外気温度が所定温度よりも低いときに冷蔵・冷凍側で第１圧縮機手段（２Ａ）だけを最大容量で運転していて能力が不足するときは、第１圧縮機手段（２Ａ）の容量を一旦可変範囲の中間まで低下させてから第２圧縮機手段（２Ｂ）を冷蔵・冷凍系統に切り換え、さらに第１圧縮機手段（２Ａ）の容量を増やすことによって、冷媒回路（１Ｅ）の低圧圧力が急激に低下するのを防止でき、第２圧縮機手段（２Ｂ）の発停などの不安定な動作も防止できる。
【０１７４】
請求項３に記載の発明によれば、第１圧縮機手段（２Ａ）のみを冷蔵・冷凍系統に用いている運転状態で、該冷蔵・冷凍系統における冷却能力の不足量に応じて第２圧縮機手段（２Ｂ）の切換制御を行うようにしているので、冷却能力の不足量が大きいか小さいかに拘わらず、第２圧縮機手段（２Ｂ）の適切な切換制御を行うことが可能になる。
【０１７５】
請求項４に記載の発明によれば、冷蔵・冷凍系統における冷却能力の不足量が基準値よりも大きいときに、第１圧縮機手段（２Ａ）の容量を維持しながら、第２圧縮機手段（２Ｂ）を冷蔵・冷凍側にすぐに切り換えるようにしているので、圧縮機構（２Ｄ，２Ｅ）の能力が不足気味になることを防止できる。
【０１７６】
請求項５に記載の発明によれば、冷蔵・冷凍系統における冷却能力の不足量が基準値よりも小さいときには、第２圧縮機手段（２Ｂ）を冷蔵・冷凍側に切り換える際に所定の待機時間を設定するようにして、しばらくは冷蔵・冷凍系統を第１圧縮機手段（２Ａ）だけを大容量で運転する状態を継続することにしているため、低圧圧力が過度に低下することによる発停過多を確実に回避できる。
【０１７７】
請求項６に記載の発明によれば、外気温度が所定温度以上で第１圧縮機手段（２Ａ）のみを冷蔵・冷凍系統に用いている運転状態から、第２圧縮機手段（２Ｂ）を冷蔵・冷凍系統に切り換える制御を行った後、サーモオン／オフの切り換えを所定時間禁止するようにしているので、上記切り換え後に誤ってサーモオフになるのを防止でき、動作が安定する。
【０１７８】
請求項７に記載の発明によれば、第１圧縮機手段（２Ａ）がインバータ圧縮機である場合に、該圧縮機が最高周波数で運転されているときのほか、インバータの電流値が所定値よりも高くなっていたり、インバータのフィン温度が所定温度よりも高温になっていて、それ以上容量を増やすとインバータ自体が停止してしまうときなどに、第２圧縮機手段（２Ｂ）を冷蔵・冷凍系統に切り換える制御を行うことにより、動作が不安定になるのを防止できる。
【０１７９】
請求項８に記載の発明によれば、外気温度が所定温度以上で第１圧縮機手段（２Ａ）と第２圧縮機手段（２Ｂ）を冷蔵・冷凍系統に用いている運転状態で、冷蔵・冷凍系統の冷却負荷が所定値より小さくても、第１圧縮機手段（２Ａ）の容量を低下させないようにしているので、冷蔵・冷凍の庫内における食品などを確実に品質維持できるうえ、冷蔵・冷凍側がショーケースである場合には庫内の冷気が室内に流れることで、室内の能力不足も防止できる。
【０１８０】
請求項９に記載の発明によれば、外気温度が所定温度以上で第１圧縮機手段（２Ａ）と第２圧縮機手段（２Ｂ）を冷蔵・冷凍系統に用いている運転状態で、冷蔵・冷凍系統の冷却負荷が所定値より小さくかつ室内の冷房負荷が所定値よりも大きいときは、第２圧縮機手段（２Ｂ）を空調系統に切り換えるようにしているので、冷蔵・冷凍側と空調側を効率よく冷却できる。また、冷蔵・冷凍側がショーケースである場合は、ショーケースの周囲の室内空気を冷やすことで、ショーケースも効率よく冷却できる。
【図面の簡単な説明】
【図１】本発明の実施形態に係る冷凍装置の冷媒回路図である。
【図２】冷房運転の動作を示す冷媒回路図である。
【図３】冷凍運転の動作を示す冷媒回路図である。
【図４】第１冷房冷凍運転の動作を示す冷媒回路図である。
【図５】第２冷房冷凍運転の動作を示す冷媒回路図である。
【図６】暖房運転の動作を示す冷媒回路図である。
【図７】第１暖房冷凍運転の動作を示す冷媒回路図である。
【図８】第２暖房冷凍運転の動作を示す冷媒回路図である。
【図９】第３暖房冷凍運転の動作を示す冷媒回路図である。
【図１０】高外気判断の動作を示すフローチャートである。
【図１１】低圧圧力に基づく圧縮機の能力制御を示すフローチャートである。
【図１２】第３四路切換弁の切換制御を示すフローチャートである。
【図１３】図１２のステップＳＴ３２における判断条件を示す図である。
【図１４】図１２のステップＳＴ３４における判断条件を示す図である。
【図１５】運転モード切り換えの第１の制御を示すフローチャートである。
【図１６】運転モード切り換えの第２の制御を示すフローチャートである。
【図１７】水噴霧制御を示すフローチャートである。
【符号の説明】
（１）      冷凍装置
（１Ｅ）  冷媒回路
（２Ａ）  インバータ圧縮機（第１圧縮機手段）
（２Ｂ）  第１ノンインバータ圧縮機（第２圧縮機手段）
（２Ｃ）  第２ノンインバータ圧縮機（第３圧縮機手段）
（２Ｄ）  圧縮機構
（２Ｅ）  圧縮機構
（４）      室外熱交換器
（２６）  室外膨張弁（膨張機構）
（４１）  室内熱交換器（利用側熱交換器）
（４２）  室内膨張弁（膨張機構）
（４５）  冷蔵熱交換器（利用側熱交換器）
（４６）  冷蔵膨張弁（膨張機構）
（５１）  冷凍熱交換器（利用側熱交換器）
（５２）  冷凍膨張弁（膨張機構）
（８０）  コントローラ
【図１】
2004347262.tif 000003
【図２】
2004347262.tif 000004
【図３】
2004347262.tif 000005
【図４】
2004347262.tif 000006
【図５】
2004347262.tif 000007
【図６】
2004347262.tif 000008
【図７】
2004347262.tif 000009
【図８】
2004347262.tif 000010
【図９】
2004347262.tif 000011
【図１０】
2004347262.tif 000012
【図１１】
2004347262.tif 000013
【図１２】
2004347262.tif 000014
【図１３】
2004347262.tif 000015
【図１４】
2004347262.tif 000016
【図１５】
2004347262.tif 000017
【図１６】
2004347262.tif 000018
【図１７】
2004347262.tif 000019